(57)【要約】【課題】原稿に光を照射しながら走査露光し、上記原稿の反射光をレンズで集光し、センサ上に結像させ、平面画像を形成する画像形成装置において、良質の平面画像又は画像データを形成することができる画像形成装置を提供することを目的とする。【解決手段】スキャン（画像読み取り）前に、プリスキャンし、このプリスキャンで得たデータに基づいて、原稿の形状を自動判別する。この判別結果に基づいて、原稿の形状に応じた光源点灯モードを選択し、複数光源の照射光量をそれぞれ個別に制御する。そして、スキャンし、良質の平面画像又は画像データを形成することができる。【選択図】図４
2008268270.tif 000002
【特許請求の範囲】
【請求項１】
標準濃度部材と原稿台ガラスとの間に配置されている原稿に光を照射しながら走査露光し、上記原稿からの反射光を走査光としてレンズで集光し、センサ上に結像させ、平面画像を形成する画像形成装置において、
上記原稿を照明する複数の光源と；
上記原稿ガラス上に配置されている原稿の下方に位置し、上記原稿に対して水平移動しながら、上記光源と、上記原稿からの反射光を走査光として上記レンズへ案内し、センサ上に結像させる光学的機構とを搭載する光学キャリッジと；
平面画像を形成する前にプリスキャンを行い、上記原稿の形状を自動的に判別する判別手段と；
上記原稿の形状に応じて、上記複数の光源を同時に点灯させる同時点灯モードと、上記複数の光源のそれぞれを単独で光量変化させ、点灯させる単独点灯モードとを具備し、上記同時点灯モードと、上記単独点灯モードとのうちの一方の点灯モードによって、上記複数の光源を制御し、動作させる制御手段と；
を有することを特徴とする画像形成装置。
【請求項２】
請求項１において、
上記制御手段は、上記複数の光源の発光量を、互いに独立して変更する手段であることを特徴とする画像形成装置。
【請求項３】
請求項１において、
上記判別手段は、プリスキャン中に上記標準濃度部材部分を、スキャンし、読み取った濃度と標準値とを比較し、原稿の形状を自動判別し、上記判別された原稿の形状に応じて、上記各点灯モードを選択することを特徴とする画像形成装置。
【請求項４】
標準濃度部材と原稿台ガラスとの間に配置されている原稿に光を照射しながら走査露光し、上記原稿からの反射光を走査光としてレンズで集光し、センサ上に結像させ、平面画像を形成する画像形成装置の制御方法において、
上記光源と、上記原稿からの反射光を走査光として上記レンズへ案内し、センサ上に結像させる光学的機構とを搭載する光学キャリッジを、上記原稿ガラス上に配置されている原稿の下方に位置し、上記原稿に対して水平移動させる移動工程と；
平面画像を形成する前にプリスキャンを行い、上記原稿の形状を自動的に判別する判別工程と；
上記原稿の形状に応じて、上記複数の光源を同時に点灯させる同時点灯モードと、上記複数の光源のそれぞれを単独で光量変化させ、点灯させる単独点灯モードとを具備し、上記同時点灯モードと、上記単独点灯モードとのうちの一方の点灯モードによって、上記複数の光源を制御し、動作させる制御工程と；
を有することを特徴とする画像形成装置の制御方法。
【発明の詳細な説明】
【技術分野】
【０００１】
本発明は、立体や平面等、様々な形の原稿に合わせて、光源の照射光量を変化させ、良質の画像データを形成する画像形成装置に関する。
【背景技術】
【０００２】
従来の画像形成装置は、読み取りを行う際、光量を多くするために、複数の光源を用い、原稿に光を照射する。
【０００３】
複数の光源を均等に光らせ、原稿に光を照射すると、原稿が平面的な場合には。問題なく読み取りできるが、立体物を読み取る場合には、原稿に影ができず、立体的な読み取り画像には見えない。
【０００４】
また、立体物を立体的に読み取るための画像形成装置が知られている（たとえば、特許文献１参照）。この画像形成装置は、走査露光する立体物の凹凸や光反射率に応じて、複数光源の光量や入射角を、互いに独立して制御することができる。
【特許文献１】特開平９−１９７５６９号公報
【発明の開示】
【発明が解決しようとする課題】
【０００５】
しかし、上記従来例では、原稿が立体物であるのか、平面であるのかを、画像形成装置上で自動判別し、原稿の形状に応じて、最適な照射光量に制御することができないという問題がある。
【０００６】
本発明は、原稿に光を照射しながら走査露光し、上記原稿の反射光をレンズで集光し、センサ上に結像させ、平面画像を形成する画像形成装置において、良質の平面画像又は画像データを形成することができる画像形成装置を提供することを目的とする。
【課題を解決するための手段】
【０００７】
本発明は、スキャン（画像読み取り）前に、プリスキャンし、このプリスキャンで得たデータに基づいて、原稿の形状を自動判別する。この判別結果に基づいて、原稿の形状に応じた光源点灯モードを選択し、複数光源の照射光量をそれぞれ個別に制御する。そして、スキャンし、良質の平面画像又は画像データを形成することができる。
【発明の効果】
【０００８】
画像形成装置において、原稿の形状を自動的に判別し、形状に応じて光源の光量を制御しスキャンを行うので、良質の平面画像又は画像データを形成することができるという効果を奏する。
【発明を実施するための最良の形態】
【０００９】
発明を実施するための最良の形態は、次の実施例である。
【実施例１】
【００１０】
図１は、本発明の実施例１である画像読取装置１００を示す図である。
【００１１】
画像読取装置１００は、画像形成装置の例であり、光源１、２と、標準濃度部材３と、原稿ガラス台５と、ミラー６、７、８と、レンズ９と、光学センサ１０と、光学キャリッジ１１と、基準板１２を有する。
【００１２】
標準濃度部材３と、原稿ガラス台５との間に、原稿４が設置され、２つの光源１、２で、光を照射し、原稿４から反射された反射光を、ミラー６、７、８で反射し、レンズ９に導く。導かれた反射光を、レンズ９で、光学センサ１０の受光面上に結像し、主走査方向の１ライン分のデータを取得する。
【００１３】
次に、光学キャリッジ１１を副走査方向に移動させ、上記と同じように、１ラインのデータを取得し、これを繰り返し実行し、原稿４の全域を読み取り、１つの画像データを形成する。
【００１４】
図２は、画像読取装置１００の処理動作を示すフローチャートである。
【００１５】
ユーザが、所定の位置に原稿をセットし、スキャン開始ボタンを押すか、ＰＣからスキャン命令が指示されると、画像読取装置１００は、スキャン命令を開始する（Ｓ０）。
【００１６】
まず、画像読取装置１００は、キャリブレーション（Ｓ１）動作に入る。光源１、２を点灯させ、読み取り領域外に設けられている基準板を読み取り、白シェーディング補正用データを取得する。続いて、光源を消灯し、基準板を読み取り、黒シェーディング補正用データを取得し、この２つのデータを用いて、プリスキャン時のデータ補正を行う。
【００１７】
キャリブレーション後に、白シェーディング補正用データと、黒シェーディング補正用データとに基づいて、プリスキャン（Ｓ２）を開始し、ユーザが、原稿の全体を視覚的に把握できるように、簡易的な画像データを生成する。そして、ディスプレイ等の表示手段に出力し、また、原稿の形状を自動的に判別する。
【００１８】
自動判別（Ｓ３）は、プリスキャンで得た濃度読み取り領域Ｂのデータと、標準濃度データとを比較する。そして、原稿台ガラスと標準濃度部材との距離、つまり原稿の厚さを検出し、原稿が平面であるか、立体物であるかを自動判断する。
【００１９】
自動判別の結果から、原稿が平面であると判別されると、同時点灯モード（Ｓ５）を選択し、原稿が立体的であると判別されると、単独点灯モード（Ｓ４）を選択する。
【００２０】
図３は、平面原稿を使用し、同時点灯モードで上記平面原稿を照射した場合における説明図である。
【００２１】
上記「同時点灯モード」は、図３に示すように、光源１、２を同時点灯するように制御（Ｓ６）し、光量を増やすモードである。この同時点灯モードによって、光学センサのフォトダイオードが電荷を蓄積するために必要な時間が短縮され、高解像度で高速なスキャンを行い、平面画像又は画像データを形成することができる。
【００２２】
図４は、立体物を使用し、単独点灯モードで上記立体物を照射した場合における説明図である。
【００２３】
上記「単独点灯モード」は、複数の光源のそれぞれの発光量を、単独で制御するモードである。上記例において、具体的には、光源２の照射光量を、光源１の照射光量に比べて少なくなるように、光源１、２の光量を単独で制御（Ｓ６）する。
【００２４】
この単独点灯モードによって、副走査方向に薄い影ＳＤ１と、濃い影ＳＤ２とを意図的に作り出し、スキャンを行うことによって、立体物の質感を損なわない平面画像又は画像データを形成することができる。
【００２５】
照射光量調節（Ｓ６）後に、再びキャリブレーション（Ｓ７）し、白シェーディング補正用データと黒シェーディング補正用データとを取得し、スキャン時のデータ補正を行う。
【００２６】
その後に、スキャン（Ｓ８）し、良質の平面画像又は画像データを形成することができる。
【００２７】
つまり、上記実施例は、標準濃度部材と原稿台ガラスとの間に配置されている原稿に光を照射しながら走査露光し、上記原稿からの反射光を走査光としてレンズで集光し、センサ上に結像させ、平面画像を形成する画像形成装置である。また、上記実施例は、上記原稿を照明する複数の光源を有する。さらに、上記実施例は、上記原稿ガラス上に配置されている原稿の下方に位置し、上記原稿に対して水平移動しながら、上記光源と、上記原稿からの反射光を走査光として上記レンズへ案内し、センサ上に結像させる光学的機構とを搭載する光学キャリッジを有する。そして、上記実施例は、平面画像を形成する前にプリスキャンを行い、上記原稿の形状を自動的に判別する判別手段を有する。しかも、上記実施例は、上記原稿の形状に応じて、上記複数の光源を同時に点灯させる同時点灯モードと、上記複数の光源のそれぞれを単独で光量変化させ、点灯させる単独点灯モードとを具備する制御手段を有する。この制御手段は、上記同時点灯モードと、上記単独点灯モードとのうちの一方の点灯モードによって、上記複数の光源を制御し、動作させる制御手段である。
【００２８】
この場合、上記制御手段は、上記複数の光源の発光量を、互いに独立して変更する手段である。また、上記判別手段は、プリスキャン中に上記標準濃度部材部分を、スキャンし、読み取った濃度と標準値とを比較し、原稿の形状を自動判別し、上記判別された原稿の形状に応じて、上記各点灯モードを選択する手段である。
【００２９】
また、上記実施例を方法の発明として把握することができる。つまり、上記実施例は、標準濃度部材と原稿台ガラスとの間に配置されている原稿に光を照射しながら走査露光し、上記原稿からの反射光を走査光としてレンズで集光し、センサ上に結像させ、平面画像を形成する画像形成装置の制御方法である。また、上記光源と、上記原稿からの反射光を走査光として上記レンズへ案内し、センサ上に結像させる光学的機構とを搭載する光学キャリッジを、上記原稿ガラス上に配置されている原稿の下方に位置し、上記原稿に対して水平移動させる移動工程を有する。そして、上記実施例は、平面画像を形成する前にプリスキャンを行い、上記原稿の形状を自動的に判別する判別工程を有する。さらに、上記実施例は、上記原稿の形状に応じて、上記複数の光源を同時に点灯させる同時点灯モードと、上記複数の光源のそれぞれを単独で光量変化させ、点灯させる単独点灯モードとを具備する制御工程を有する。この制御工程は、上記同時点灯モードと、上記単独点灯モードとのうちの一方の点灯モードによって、上記複数の光源を制御し、動作させる制御工程である。
【図面の簡単な説明】
【００３０】
【図１】本発明の実施例１である画像読取装置１００を示す図である。
【図２】画像読取装置１００の処理動作を示すフローチャートである。
【図３】平面原稿を使用し、同時点灯モードで上記平面原稿を照射した場合における説明図である。
【図４】立体物を使用し、単独点灯モードで上記立体物を照射した場合における説明図である。
【符号の説明】
【００３１】
１、２…光源、
３…標準濃度部材、
４…原稿、
５…原稿台ガラス、
６、７、８…ミラー、
９…レンズ、
１０…光学センサ、
１１…光学キャリッジ、
１２…基準板。
【図１】
2008268270.tif 000003
【図２】
2008268270.tif 000004
【図３】
2008268270.tif 000005
【図４】
2008268270.tif 000006